(57)【特許請求の範囲】
【請求項１】
入力される音楽信号に含まれるビート音成分の発生タイミングを検出するビート音検出手段と、
前記ビート音検出手段による検出対象となっているビート音成分を強調する純音信号を生成する純音生成手段と、
前記ビート音検出手段によって検出された発生タイミングに合わせて、前記音楽信号に前記純音生成手段によって生成した純音信号を重畳する合成手段と、
前記合成手段によって前記純音信号が重畳された音楽信号を出力する音楽信号出力手段と、
を備え、前記純音生成手段は、第１の波長を有する第１のサイン波と、前記第１の波長よりも長い第２の波長を有する第２のサイン波を順番に発生することにより前記純音信号を生成することを特徴とする音楽再生装置。
【請求項２】
請求項１において、
前記合成手段による合成対象となる前記音楽信号と前記純音信号の少なくとも一方のタイミングを調整するタイミング調整手段をさらに備えることを特徴とする音楽再生装置。
【請求項３】
請求項１または２において、
前記合成手段は、前記音楽信号に含まれるビート音成分の位相に前記純音信号の位相を合わせて、前記音楽信号に前記純音信号を重畳することを特徴とする音楽再生装置。
【請求項４】
請求項１〜３のいずれかにおいて、
前記純音生成手段による前記純音信号の発生時間は、前記ビート音検出手段によって検出される発生タイミングの繰り返し周期よりも短いことを特徴とする音楽再生装置。
【請求項５】
請求項１〜４のいずれかにおいて、
前記純音生成手段は、前記第１および第２のサイン波のそれぞれを１波長分発生することを特徴とする音楽再生装置。
【請求項６】
請求項１〜５のいずれかにおいて、
前記第２の波長は、前記第１の波長の２倍であることを特徴とする音楽再生装置。
【請求項７】
請求項１〜６のいずれかにおいて、
前記合成手段によって重畳される前記純音信号の波長は変更可能であることを特徴とする音楽再生装置。
【請求項８】
請求項１〜７のいずれかにおいて、
前記合成手段によって重畳される前記純音信号の振幅は変更可能であることを特徴とする音楽再生装置。
【請求項９】
請求項１〜８のいずれかにおいて、
前記ビート音成分は、打楽器を叩いたときに発生する周波数成分であることを特徴とする音楽再生装置。
【請求項１０】
請求項９において、
前記打楽器は、バスドラムまたは、バスドラムに類似した特性を持つ低音を強調する打楽器であることを特徴とする音楽再生装置。
【発明の詳細な説明】
【技術分野】
【０００１】
本発明は、ビート成分を含む音楽信号を再生して出力する音楽再生装置に関する。
【背景技術】
【０００２】
従来から、入力された音楽信号からビート成分を抽出し、音楽信号にビート成分を強調する加工を施して出力するようにした音楽再生装置が知られている（例えば、特許文献１参照。）。この音楽再生装置は、入力された音楽信号からスペクトルを算出し、この算出したスペクトルの時間微分に基づいてビートのタイミングを判定することで、このタイミングで所定の時間幅を持たせたビート波形を生成する。そして、このビート波形に合わせて音楽信号の一部または全部の周波数帯域を増幅することで、音楽信号に含まれるビート成分を強調している。
【先行技術文献】
【特許文献】
【０００３】
【特許文献１】特許第４４６７６０１号公報
【発明の概要】
【発明が解決しようとする課題】
【０００４】
ところで、特許文献１に開示された従来手法では、ビートが現れるタイミングで音楽信号を増幅しているため、ビート以外の音も一緒に増幅されてしまい、再生音に違和感が生じるという問題があった。例えば、バスドラムによるビートを強調する際に、同じタイミングで生じる他の楽器の音も同時に増幅してしまい、ビートの周期に合わせて他の楽器の音が大きくなったり小さくなったりして不自然な音になり、想定しているビート感が得られないばかりか音質の悪化にもつながる。この点は、増幅対象となる音楽信号の周波数帯域幅を狭くすることで改善することができるが、帯域幅を狭くしてもこの周波数帯域に他の楽器の音が含まれることに変わりはないため、本質的な改善にはならない。
【０００５】
本発明は、このような点に鑑みて創作されたものであり、その目的は、音楽信号を再生する際に違和感なくビート音を強調することができる音楽再生装置を提供することにある。
【課題を解決するための手段】
【０００６】
上述した課題を解決するために、本発明の音楽再生装置は、入力される音楽信号に含まれるビート音成分の発生タイミングを検出するビート音検出手段と、ビート音検出手段による検出対象となっているビート音成分を強調する純音信号を生成する純音生成手段と、ビート音検出手段によって検出された発生タイミングに合わせて、音楽信号に純音生成手段によって生成した純音信号を重畳する合成手段と、合成手段によって純音信号が重畳された音楽信号を出力する音楽信号出力手段とを備えている。ビート音成分に同期するように純音信号を音楽信号に重畳しているため、音楽信号自体を増幅する必要はなく、音楽信号を再生する際に違和感なくビート音を強調することができる。
【０００７】
また、上述した合成手段による合成対象となる音楽信号と純音信号の少なくとも一方のタイミングを調整するタイミング調整手段をさらに備えることが望ましい。これにより、ビート音成分の発生タイミング検出に要する時間等を考慮した音楽信号と純音信号の合成処理が可能となり、純音信号を重畳するタイミングを容易かつ正確に調整することができる。
【０００８】
また、上述した合成手段は、音楽信号に含まれるビート音成分の位相に純音信号の位相を合わせて、音楽信号に純音信号を重畳することが望ましい。音楽信号の含まれるビート音成分の位相と純音信号の位相を合わせることにより、ビート音を強調する際に逆にビート音が弱まったり、違和感が生じることを防止することができる。
【０００９】
また、上述した純音生成手段による純音信号の発生時間は、ビート音検出手段によって検出される発生タイミングの繰り返し周期よりも短いことが望ましい。これにより、ビート音の発生タイミングに合わせて純音信号を短時間発生するだけであるため、純音信号発生に必要な構成を簡素化することができる。また、ビート音成分を検出する毎に純音信号を合成するタイミングを決めればよいため、純音信号の合成タイミングの決定が容易となる。
【００１０】
また、上述した純音生成手段は、第１の波長を有する第１のサイン波と、第１の波長よりも長い第２の波長を有する第２のサイン波を順番に発生することにより純音信号を生成する。さらに、上述した第２の波長は、第１の波長の２倍であることが望ましい。これにより、実際に発生するビート音に含まれる基本周波数成分に近い純音信号を生成することが可能になり、ビート音を強調する際の違和感をなくすことができる。
【００１１】
また、上述した純音生成手段は、第１および第２のサイン波のそれぞれを１波長分発生することが望ましい。これにより、純音信号発生に必要な構成をさらに簡素化することができる。また、２種類の波長のサイン波を切り替える際に信号振幅が連続するよう設定することが容易となる。
【００１２】
また、上述した合成手段によって重畳される純音信号の波長は変更可能であることが望ましい。これにより、ビート音を強調する際の音色を調整することができ、利用者の好みを反映したビート音の強調が可能となる。
【００１３】
また、上述した合成手段によって重畳される純音信号の振幅は変更可能であることが望ましい。これにより、ビート音を強調する際の音色を調整することができ、利用者の好みを反映したビート音の強調が可能となる。
【００１４】
また、上述したビート音成分は、打楽器を叩いたときに発生する周波数成分であることが望ましい。また、上述した打楽器は、バスドラムあるいは、それに類似した特性を持つ低音を強調する打楽器であることが望ましい。これにより、バスドラム等の低音を強調する打楽器を叩いたときに発生するビート音が含まれる音楽信号に適したビート音の強調を行うことが可能となる。
【図面の簡単な説明】
【００１５】
【図１】一実施形態の音楽再生装置の構成を示す図である。
【図２】ビート音検出部の詳細構成を示す図である。
【図３】ビート音検出部の動作を示す説明図である。
【図４】音楽再生装置に入力される音楽信号とサイン波生成部によって生成される純音信号を示す図である。
【発明を実施するための形態】
【００１６】
以下、本発明を適用した一実施形態の音楽再生装置について、図面を参照しながら説明する。図１は、一実施形態の音楽再生装置の構成を示す図である。図１に示すように、本実施形態の音楽再生装置は、音楽信号入力部１０、イコライザ処理部１２、遅延部１４、ビート音検出部２０、極性検出部２２、サイン波生成部３０、合成部４０、デジタル−アナログ変換器（ＤＡＣ）４２、アンプ４４、スピーカ４６を備えている。この音楽再生装置は、デジタル音楽信号が入力されており、この音楽信号に含まれるビート音成分を強調して出力する。
【００１７】
音楽信号入力部１０は、デジタル音楽信号を後段のイコライザ処理部１２、極性検出部１６、ビート音検出部２０に入力する。このデジタル音楽信号は、ＣＤやＤＶＤ等のディスク型記録媒体や半導体メモリなどから読み出したものを用いる場合や、ラジオ放送やテレビ放送を受信して抽出したものを用いる場合や、音楽コンテンツを配信する各種サーバからインターネット経由で取得したものを用いる場合などが考えられる。また、アナログ形式の音楽信号を取得して、音楽信号入力部１０の前後あるいは内部でデジタルデータに変換してもよい。
【００１８】
イコライザ処理部１２は、音楽信号入力部１０から入力される音楽信号について、複数の周波数帯域のそれぞれ毎に信号レベルを強調（増幅）したり減衰させたりする処理を行う。なお、このイコライザ処理部１２は省略してもよい。
【００１９】
ビート音検出部２０は、音楽信号入力部１０から入力される音楽信号に含まれるビート音成分の発生タイミング（発生開始位置）を検出する。極性検出部２２は、ビート音検出部２０によってビート音成分が検出された時点での音楽信号の波形の極性を検出する。本実施形態では、音楽信号は、０レベルを中心に正あるいは負の振幅を有しており、ビート音成分が検出された際の音楽信号の振幅が正負のいずれであるかが極性検出部２２によって検出される。
【００２０】
サイン波生成部３０は、ビート音検出部２０による検出対象となっているビート音成分を強調する純音信号を生成する。具体的には、サイン波生成部３０は、第１の波長を有する第１のサイン波と、第１の波長よりも長い第２の波長を有する第２のサイン波を順番に発生することにより純音信号を生成する。例えば、第１のサイン波として１００Ｈｚで１波長分のサイン波が用いられ、第２のサイン波として５０Ｈｚで１波長分のサイン波が用いられる。また、一般に、このような純音信号の継続時間は、ビート音検出部２０によって検出されるビート音成分の発生タイミングの検出周期よりも短くなっている。さらに、このサイン波の生成は、極性検出部１６によって検出された極性にあわせて行われる。例えば、極性検出部２２によって極性が正であることが検出された場合には、先頭部分の極性が正となるサイン波が生成される。反対に、極性検出部２２によって極性が負であることが検出された場合には、先頭部分の極性が負となるサイン波が生成される。ビート音検出部２０、極性検出部２２、サイン波生成部３０の具体的な動作については後述する。
【００２１】
合成部４０は、ビート音検出部２０によって検出された発生タイミングに合わせて、イコライザ処理部１２から出力される音楽信号に、サイン波生成部３０によって生成した純音信号を重畳する合成処理を行う。遅延部１４は、合成部４０による合成対象となる音楽信号と純音信号の少なくとも一方のタイミングを調整する。図１に示した構成では、遅延部１４は、イコライザ処理部１２と合成部４０との間に設けられており、イコライザ処理部１２を通した音楽信号に対してタイミング調整を行う。なお、合成部４０に入力される純音信号のタイミングを遅延させる必要がある場合にはサイン波生成部４０と合成部４０の間に遅延部１４を設けたり、イコライザ処理部１２とサイン波生成部３０のそれぞれの後段に別々に遅延部１４を設けてもよい。
【００２２】
デジタル−アナログ変換器４２は、合成部４０から出力されるデジタルの音楽信号をアナログの音楽信号に変換する。この音楽信号は、アンプ４４によって増幅された後にスピーカ４６から出力される。なお、スピーカ４６の代わりにイヤホンやヘッドホンを用いるようにしてもよい。
【００２３】
上述したビート音検出部２０がビート音検出手段に、サイン波生成部３０が純音生成手段に、合成部４０が合成手段に、デジタル−アナログ変換器４２、アンプ４４、スピーカ４６が音楽信号出力手段に、遅延部１４がタイミング調整手段にそれぞれ対応する。
【００２４】
図２は、ビート音検出部２０の詳細構成を示す図である。図２に示すように、ビート音検出部２０は、帯域通過フィルタ５０、５２、重み付け合成ノルム生成部５４、エンベロープ生成部５６、開始位置検出部５８を備えている。
【００２５】
一方の帯域通過フィルタ５０は、ドラム音などの低域成分を音楽信号から抽出する。例えば、低域通過フィルタによって構成されている。他方の帯域通過フィルタ５２は、シンバル音などの高域成分を音楽信号から抽出する。例えば、高域通過フィルタによって構成されている。異なる通過帯域を有するこれら２つの帯域通過フィルタ５０、５２を用いることにより、ビート音の発生開始位置検出の邪魔になる中音域を除去している。
【００２６】
重み付け合成ノルム生成部５４は、一般に振幅レベルが小さい帯域通過フィルタ５２の出力信号（高域成分）の重みを大きくして帯域通過フィルタ５０の出力信号（低域成分）と合成するとともに正出力を得るなど、２つの帯域通過フィルタ５０、５２の出力を重み付け合成しながら正出力を得る。具体的には、帯域通過フィルタ５０の出力をＬＰＦ 、帯域通過フィルタ５２の出力をＨＰＦとし、重み付け係数をａ、ｂ（ａ≪ｂ）としたときに、例えばａ（ＬＰＦ）2＋ｂ（ＨＰＦ）2やａ｜ＬＰＦ｜＋ｂ｜ＨＰＦ｜などの演算が重み付け合成ノルム生成部５４によって行われる。
【００２７】
エンベロープ生成部５６は、重み付け合成ノルム生成部５４から出力される信号の振幅エンベロープを生成する。例えば積分回路を用い、その正出力をスムージング処理することにより、振幅エンベロープが生成される。
【００２８】
開始位置検出部５８は、エンベロープ生成部５６から出力される振幅エンベロープを、予め設定された振幅しきい値と比較し、振幅エンベロープが振幅しきい値を超えた位置より時間的に遡って振幅しきい値が極小となる位置を探索してビート音の発生開始位置として決定する。また、開始位置検出部５８は、一度発生開始位置を検出した後は、所定時間の間発生開始位置の検出を休止する。
【００２９】
図３は、ビート音検出部２０の動作を示す説明図である。図３において、Ｐはエンベロープ生成部５６によって生成された振幅エンベロープを、ＡＴは開始位置検出部５８において用いられる振幅しきい値をそれぞれ示している。また、図３の横軸は時間経過（ｔ）を示している。開始位置検出部５８は、振幅エンベロープＰが振幅しきい値ＡＴを超えた時点Ｔ１を検出すると、この時点Ｔ１から時間的に遡って振幅しきい値Ｐが極小となる時点Ｔ０を探索し、この時点Ｔ０をビート音の発生開始位置として決定する。なお、このようにして発生開始位置Ｔ０を検出すると、開始位置検出部５８は、振幅エンベロープＰが振幅しきい値ＡＴを超えた時点Ｔ１から時間Ｔthが経過するまでは、発生開始位置の検出動作を休止する。これは、１つのビート音のみが存在する場合に誤って複数の発生開始位置検出を行わないようにするためである。
【００３０】
本実施形態の音楽再生装置はこのような構成を有しており、次にその動作を説明する。図４は、音楽再生装置に入力される音楽信号とサイン波生成部３０によって生成される純音信号を示す図である。図４において、Ｍは入力される音楽信号を、Ｓは生成される純音信号を、Ｔｓは純音信号の発生開始タイミングをそれぞれ示している。
【００３１】
ビート音検出部２０に音楽信号Ｍが入力されると、ビート音検出部２０内のエンベロープ生成部５６は、入力された音楽信号に基づいて振幅エンベロープＰ（図３）を生成し、開始位置検出部５８は、振幅エンベロープＰが振幅しきい値ＡＴを超えた時点Ｔ１から時間的に遡って極小となる時点Ｔ０を検出する。図３に示すＰＫは、振幅エンベロープＰが振幅しきい値ＡＴを超えた時点の周辺に存在する振幅エンベロープＰのピークを示しており、図４に示すＰＫは、対応する音楽信号のピークを示している。
【００３２】
極性検出部２２は、音楽信号のピークＰＫ近傍の極性を検出する。図４に示す例では、音楽信号のピークＰＫ近傍の極性は「負」であり、極性「負」が極性検出部２２によって検出される。また、サイン波生成部３０は、極性検出部２２によって検出された極性「負」に合わせて、第１のサイン波の最初の半波長の極性が負となるように純音信号Ｓ（図４）を生成する。
【００３３】
遅延部１４は、ビート音検出部２０によって検出されたビート音の発生開始位置Ｔ０（図３）に対応する純音信号の発生タイミングＴｓ（図４）と、実際にサイン波生成部３０から出力される純音信号の発生開始時点とが一致するように音楽信号の出力タイミングを調整する。このようにしてタイミング調整がなされた後の音楽信号と純音信号とが合成部４０によって合成され、純音信号を合成することによりビート音が強調された音楽信号がスピーカ４６から出力される。
【００３４】
このように、本実施形態の音楽再生装置では、ビート音成分に同期するように純音信号を音楽信号に重畳しているため、音楽信号自体を増幅する必要はなく、音楽信号を再生する際に違和感なくビート音を強調することができる。また、遅延部１４を用いて音楽信号と純音信号の少なくとも一方（図１に示す構成では音楽信号のみ）のタイミングを調整することにより、ビート音成分の発生タイミング検出に要する時間等を考慮した音楽信号と純音信号の合成処理が可能となり、純音信号を重畳するタイミングを容易かつ正確に調整することができる。
【００３５】
また、合成部４０において音楽信号と純音信号とを合成する際に、音楽信号に含まれるビート音成分の位相（極性）に純音信号の位相（極性）を合わせているため、ビート音を強調する際に逆にビート音が弱くなったり、違和感が生じることを防止することができる。
【００３６】
また、純音信号の発生時間（継続時間）は、ビート音検出部２２によって検出される発生タイミングの繰り返し周期よりも短くなっている。このように、ビート音の発生タイミングに合わせて純音信号を短時間発生するだけであるため、純音信号発生に必要な構成を簡素化することができる。また、ビート音成分を検出する毎に純音信号を合成するタイミングを決めればよいため、純音信号の合成タイミングの決定が容易となる。
【００３７】
また、サイン波生成部３０によって生成する純音信号として、第１の波長を有する第１のサイン波と、第１の波長よりも長い第２の波長を有する第２のサイン波を順番に発生して用いるとともに、第２の波長を第１の波長の２倍とすることにより、実際に発生するビート音に含まれる基本周波数成分に近い純音信号を生成することが可能になり、ビート音を強調する際の違和感をなくすことができる。特に、第１および第２のサイン波のそれぞれを１波長分発生することにより、純音信号発生に必要な構成をさらに簡素化することができる。また、２種類の波長のサイン波を切り替える際に信号振幅が連続するよう設定することが容易となる。
【００３８】
なお、本発明は上記実施形態に限定されるものではなく、本発明の要旨の範囲内において種々の変形実施が可能である。例えば、上述した実施形態では、ビート音検出部２０を用いて低域成分や高域成分として現れる幅広いビート音を検出するようにしたが、検出対象となるビート音の種類を限定するようにしてもよい。例えば、バスドラムなどの打楽器によって生じる低域のビート音を検出対象とする場合が考えられる。この場合には、帯域通過フィルタ５２によって抽出される高域成分を考慮する必要がなくなるため、この帯域フィルタ５２を省略することができるとともに、重み付け合成ノルム生成部５４による演算内容を簡略化することができる。これにより、バスドラム等の打楽器を叩いたときに発生するビート音が含まれる音楽信号に適したビート音の強調を簡単な構成で行うことが可能となる。
【００３９】
また、上述した実施形態のサイン波生成部３０によって生成する純音信号の波長や振幅は適宜変更したり、利用者の指示に応じて変更可能としてもよい。例えば、波長について、第１の波長と第２の波長の少なくとも一方を変更したり、第２の波長を第１の波長の２倍以外としたり、第１および第２のサイン波のそれぞれの発生時間を１波長分以外としたりする場合が考えられる。また、振幅について、第１および第２のサイン波の少なくとも一方の値を変更する場合が考えられる。さらに、利用者の指示に応じて、第１および第２のサイン波の少なくとも一方の波長や振幅を変更可能とすることにより、ビート音を強調する際の音色を調整することができ、利用者の好みを反映したビート音の強調が可能となる。
【産業上の利用可能性】
【００４０】
上述したように、本発明によれば、ビート音成分に同期するように純音信号を音楽信号に重畳しているため、音楽信号自体を増幅する必要はなく、音楽信号を再生する際に違和感なくビート音を強調することができる。
【符号の説明】
【００４１】
１０  音楽信号入力部
１２  イコライザ処理部
１４  遅延部
２０  ビート音検出部
２２  極性検出部
３０  サイン波生成部
４０  合成部
４２  デジタル−アナログ変換器（ＤＡＣ）
４４  アンプ
４６  スピーカ
５０、５２  帯域通過フィルタ
５４  重み付け合成ノルム生成部
５６  エンベロープ生成部
５８  開始位置検出部
【図１】
0005921350.tif 000002
【図２】
0005921350.tif 000003
【図３】
0005921350.tif 000004
【図４】
0005921350.tif 000005